(57)【要約】【課題】本発明は、低塵環境で用いることができ、かつ騒音の抑制された歯付きベルトの提供を目的とする。【解決手段】本発明は、ゴム又は樹脂を主成分とし、少なくとも一方の面側に長さ方向に等間隔で配設された複数の歯部を有するベルト本体と、このベルト本体の一方の面側の最表面に長さ方向に沿って配設される帯状の帆布とを備え、上記帆布の両端が平面視で上記ベルト本体の両端より内側に位置する歯付きベルトである。上記ベルト本体の平均幅に対する上記帆布の平均幅の比としては、０．５以上が好ましい。上記帆布の側縁と、この帆布の側縁と近接するベルト本体の側縁との平均間隔としては、０．５ｍｍ以上が好ましい。上記ベルト本体の一方の面側が、幅方向に面一に形成されているとよい。上記ベルト本体の主成分がウレタンであり、上記帆布がナイロン製であるとよい。【選択図】図１
2019119529.tif 000002
【特許請求の範囲】
【請求項１】
ゴム又は樹脂を主成分とし、少なくとも一方の面側に長さ方向に等間隔で配設された複数の歯部を有するベルト本体と、
このベルト本体の一方の面側の最表面に長さ方向に沿って配設される帯状の帆布と
を備え、
上記帆布の両端が平面視で上記ベルト本体の両端より内側に位置する歯付きベルト。
【請求項２】
上記ベルト本体の平均幅に対する上記帆布の平均幅の比が０．５以上である請求項１に記載の歯付きベルト。
【請求項３】
上記帆布の側縁と、この帆布の側縁と近接するベルト本体の側縁との平均間隔が０．５ｍｍ以上である請求項１又は請求項２に記載の歯付きベルト。
【請求項４】
上記ベルト本体の一方の面側が、幅方向に面一に形成されている請求項１、請求項２又は請求項３に記載の歯付きベルト。
【請求項５】
上記ベルト本体の主成分がウレタンであり、上記帆布がナイロン製である請求項１から請求項４のいずれか１項に記載の歯付きベルト。
【発明の詳細な説明】
【技術分野】
【０００１】
本発明は、歯付きベルトに関する。
【背景技術】
【０００２】
工場等での物の搬送や、駆動力の伝達に、歯付きベルトが用いられている。近年、搬送速度や駆動速度が向上し、歯付きベルトは高速移動を必要とする環境下で使用されている。歯付きベルトを高速で用いる場合、停止状態からの発進や、移動状態からの停止の加速度が大きくなり、その際歯付きベルトを駆動するプーリー等に接触することで歯付きベルトが発する騒音も大きくなってきている。
【０００３】
この歯付きベルトの騒音を抑止する方法としては、例えば歯部表面を低摩擦化する方法が提案されている（例えば特表２００２−５４２０７８号公報参照）。この従来の歯付きベルトでは、糸と気孔とが交互に配列された織布カバー要素（帆布）で歯部表面全体を被覆することで歯付きベルトがプーリーと接触する際の摩擦の低減を図り、騒音を抑止している。
【０００４】
さらに、歯付きベルトがフランジやガイドレール等のガイド部材と接触した際のベルト側面の摩擦抵抗を低減することを目的として、歯布（帆布）により歯部の両側面まで被覆された歯付きベルトも提案されている（特開２０１３−６０９６８号公報参照）。
【０００５】
このように歯部全体を帆布で被覆することで歯付きベルトの騒音は低減される。しかしながら、帆布で歯部全体が被覆された歯付きベルトでは、騒音は低減されるものの、歯付きベルトを高速で用いると、帆布の毛羽立ちが発生し、糸くずが生じ易い。このため、歯部全体を帆布で被覆された歯付きベルトでは、この糸くずが発塵要因となり、低塵環境、例えば工場のクリーンルーム等で使用することが難しい。
【先行技術文献】
【特許文献】
【０００６】
【特許文献１】特表２００２−５４２０７８号公報
【特許文献２】特開２０１３−６０９６８号公報
【発明の概要】
【発明が解決しようとする課題】
【０００７】
本発明はこのような不都合に鑑みてなされたものであり、低塵環境で用いることができ、かつ騒音の抑制された歯付きベルトの提供を目的とする。
【課題を解決するための手段】
【０００８】
本発明者らが、帆布で歯部が被覆された歯付きベルトについて鋭意検討した結果、帆布の毛羽立ちは主にベルト端部がフランジやガイドレール等のガイド部材と接触することで発生し、騒音はベルトがプーリーと接触することで発生することを知得した。さらに、本発明者らは、騒音はベルトの中央部で主に発生し、ベルトの両端では騒音が比較的低いことを知得した。本発明者らは、騒音がベルト中央部で主に発生する理由は、ベルト中央部が最も強くプーリーと接触するためであると推察している。これらの知見をもとに、本発明者らは従来のように可能な限り帆布で歯部を被覆するのではなく、むしろ歯部の中央部分のみに帆布を配設し、歯部の両端や側面を帆布では被覆しないことで、騒音の抑制と、糸くず等の発塵の抑制とが両立できることを見出し、本発明を完成させた。
【０００９】
すなわち、上記課題を解決するためになされた発明は、ゴム又は樹脂を主成分とし、少なくとも一方の面側に長さ方向に等間隔で配設された複数の歯部を有するベルト本体と、このベルト本体の一方の面側の最表面に長さ方向に沿って配設される帯状の帆布とを備え、上記帆布の両端が平面視で上記ベルト本体の両端より内側に位置する歯付きベルトである。
【００１０】
当該歯付きベルトは、歯部の最表面に配設される帆布の両端が平面視で上記ベルト本体の両端より内側に位置する。つまり、当該歯付きベルトは、帆布が歯部の中央部分のみに配設され、歯部の両端や側面を被覆していない。このように構成することで、当該歯付きベルトは、歯部の中央部分の帆布により騒音を抑制し、歯部の両端に帆布がないことにより糸くず等の発塵を抑制できる。従って、当該歯付きベルトは、低塵環境で用いることができ、かつ騒音が抑制できる。
【００１１】
上記ベルト本体の平均幅に対する上記帆布の平均幅の比としては、０．５以上が好ましい。上記ベルト本体の平均幅に対する上記帆布の平均幅の比を上記下限以上とすることで、騒音を効果的に抑制することができる。
【００１２】
上記帆布の側縁と、この帆布の側縁と近接するベルト本体の側縁との平均間隔としては、０．５ｍｍ以上が好ましい。上記帆布の側縁と、この帆布の側縁と近接するベルト本体の側縁との平均間隔を上記下限以上とすることで、糸くず等の発塵の抑制効果を高めることができる。
【００１３】
上記ベルト本体の一方の面側が、幅方向に面一に形成されているとよい。上記ベルト本体の一方の面側を幅方向に面一に形成することで、騒音が抑制できると共に、ベルト本体の全幅を当該歯付きベルトの有効面として用いることができる。
【００１４】
上記ベルト本体の主成分がウレタンであり、上記帆布がナイロン製であるとよい。上記ベルト本体の主成分をウレタンとし、上記帆布をナイロン製とすることで、当該歯付きベルトを高速で用いる場合においても、騒音及び発塵の抑制効果を高められる。
【００１５】
ここで、「主成分」とは、最も含有量の多い成分を意味し、好ましくは含有量が５０質量％以上、より好ましくは９０質量％以上の成分をいう。「帆布」とは、太撚糸で平織りした厚地の織物を指す。
【発明の効果】
【００１６】
以上説明したように、本発明の歯付きベルトは、低塵環境で用いることができ、かつ騒音が抑制される。
【図面の簡単な説明】
【００１７】
【図１】本発明の実施形態に係る歯付きベルトを示す模式的部分斜視図である。
【図２】図１の歯付きベルトの模式的断面図である。
【発明を実施するための形態】
【００１８】
以下、本発明の一実施形態について適宜図面を参照しつつ詳説する。
【００１９】
図１及び図２に示す歯付きベルトは、ベルト本体１と、複数の芯体コード２と、帆布３とを備える。当該歯付きベルトは、低塵環境、いわゆるクリーンルームで好適に用いることができる。
【００２０】
＜ベルト本体＞
ベルト本体１は、図１に示すようにシート状の基部１ａと、この基部１ａの一方の面側に長さ方向に等間隔で配設された複数の歯部１ｂとを有する。
【００２１】
ベルト本体１の主成分は、ゴム又は樹脂である。上記ゴムとしては、エチレン−プロピレンゴム（ＥＰＲ）やエチレンプロピレンジエンモノマーゴム（ＥＰＤＭ）等のエチレン−α−オレフィンエラストマー、クロロプレンゴム（ＣＲ）、クロロスルホン化ポリエチレンゴム（ＣＳＭ）、水素添加ニトリルゴム（Ｈ−ＮＢＲ）等を挙げることができる。上記ゴムは、これらのうちの１種でもよいが、２種以上をブレンドしたものであってもよい。上記樹脂としては、熱可塑性のポリエステル、ポリアミド、ポリウレタン等を挙げることができる。ベルト本体１の主成分としては、低発塵性の観点から樹脂が好ましく、中でも耐摩耗性に優れる熱可塑性ウレタンが好ましい。
【００２２】
ベルト本体１の平均幅は、当該歯付きベルトの用途に応じて適宜決定されるが、例えば２５ｍｍ以上４００ｍｍ以下とできる。
【００２３】
ベルト本体１の基部１ａの平均厚さは、当該歯付ベルトに要求される強度等により適宜決定されるが、例えば１ｍｍ以上１０ｍｍ以下とできる。
【００２４】
ベルト本体１の長さは、当該歯付きベルトの用途に応じて適宜決定される。また、ベルト本体１の両端を接合して、無端ベルトとして用いられることもある。
【００２５】
歯部１ｂは、断面が台形、三角形、半円形、山形、波形、正規分布曲線状等の凸条部である。また、歯部１ｂは、その稜線（軸方向）が基部１ａの幅方向と一致するように配設されている。
【００２６】
歯部１ｂの平均高さ及び歯部１ｂ間のピッチは、当該歯付きベルトの用途に応じて適宜決定される。歯部１ｂの平均高さは、例えば１．０ｍｍ以上１０ｍｍ以下とできる。また、歯部１ｂ間のピッチは、例えば２ｍｍ以上２５ｍｍ以下とできる。
【００２７】
ベルト本体１は、ワックスを含んでもよい。ベルト本体１がワックスを含むことで、ベルト本体１表面の摩擦係数を低減できる。このため、ベルト本体１のうち帆布３に被覆されていない部分で発生する騒音をさらに低減できる。上記ワックスとしては、ポリエチレンワックス、パラフィンワックス、マイクロクリスタリンワックス等を挙げることができる。
【００２８】
ベルト本体１における上記ワックスの含有量の下限としては、２質量％が好ましく、３質量％がより好ましい。一方、上記ワックスの含有量の上限としては、１０質量％が好ましく、８質量％がより好ましい。上記ワックスの含有量が上記下限未満であると、ベルト本体１表面の摩擦係数の低減効果が不十分となるおそれがある。逆に、上記ワックスの含有量が上記上限を超えると、ベルト本体１の強度が低下するおそれがある。
【００２９】
また、ベルト本体１は、各種添加剤を含んでもよい。このような添加剤としては、例えば酸化防止剤、熱安定剤、光安定剤、防曇剤、難燃剤、表面調整剤、顔料、フィラー等が挙げられる。
【００３０】
＜芯体コード＞
複数の芯体コード２は、円形断面を有する線状体である。複数の芯体コード２は、ベルト本体１の基部１ａに埋設されている。この複数の芯体コード２は、ベルト本体１の長さ方向と平行で、かつベルト本体１の他方の面（歯部１ｂが配設されていない面）からの距離が一定となるように配設されている。つまり、複数の芯体コード２は平面状に配設され、この芯体コード２が形成する平面は、基部１ａの表面と平行である。また、複数の芯体コード２は、等間隔に配設されている。この複数の芯体コード２により当該歯付きベルトの強度、耐久性、駆動の正確性等を向上することができる。
【００３１】
芯体コード２の主成分としては、特に限定されないが、例えばスチール、アラミド、カーボン、ガラス、ポリエステル等を挙げることができる。
【００３２】
芯体コード２の断面直径は、特に限定されないが、一般的には０．２ｍｍ以上２．５ｍｍ以下である。
【００３３】
芯体コード２間の平均間隔（芯体コード２の中心軸間の距離）の下限としては、０．３ｍｍが好ましい。一方、芯体コード２間の平均間隔の上限としては、４ｍｍが好ましい。芯体コード２間の平均間隔が上記下限未満であると、当該歯付きベルトの可撓性が不十分となるおそれがある。逆に、芯体コード２間の平均間隔が上記上限を超えると、芯体コード２によるベルトの強度、耐久性、駆動の正確性等の向上効果が不十分となるおそれがある。
【００３４】
また、最も外側に配設される芯体コード２の中心軸と、これと近接するベルト本体１の基部１ａの側面との平均距離（「芯体コード２と基部１ａの側面との平均距離」ともいう）の下限としては、０．３ｍｍが好ましく、０．５ｍｍがより好ましい。一方、上記芯体コード２と基部１ａとの平均距離の上限としては、１ｍｍが好ましく、０．７ｍｍがより好ましい。上記芯体コード２と基部１ａの側面との平均距離が上記下限未満であると、当該歯付きベルトの製造時に、最も外側に配設される芯体コード２が基部１ａの側面から露出するおそれがある。逆に、上記芯体コード２と基部１ａの側面との平均距離が上記上限を超えると、ベルト本体１の側縁が駆動時にばたつき易くなり、芯体コード２による駆動の正確性の向上効果が不十分となるおそれがある。なお、最も外側に配設される芯体コード２は、ベルト本体１の両側に２本存在する。
【００３５】
芯体コード２の本数は、ベルト本体１の基部１ａの平均幅、芯体コード２の平均間隔、及び芯体コード２と基部１ａの側面との平均距離により決定されるが、芯体コード２の本数は、通常１０本以上１００本以下とされる。
【００３６】
＜帆布＞
帆布３は、帯状であり、ベルト本体１の一方の面側の最表面に長さ方向に沿って配設される。つまり、帆布３は、ベルト本体１の歯部１ｂの頂面及び側面、並びに基部１ａの表面に配設されている。
【００３７】
帆布３の両端は、平面視でベルト本体１の両端より内側に位置する。つまり、ベルト本体１の一方の面側の最表面の両側縁部付近には帆布３がなく、幅方向中央部分にのみ帆布３が配設されている。また、帆布３の中心軸は、平面視でベルト本体１の中心軸と重なるように配設されていることが好ましい。このように帆布３とベルト本体１との中心軸を重ねることで、当該歯付きベルトが中心軸を軸として対称性が向上するので、安定して駆動し易くなる。
【００３８】
また、帆布３は、ベルト本体１の長さ方向の全部に配設されてもよいが、ベルト本体１の長さ方向の一部に配設されていてもよい。例えば当該歯付きベルトが物を搬送する際に往復運動をするような場合であれば、当該歯付きベルトがプーリーに接触する部分は限定的となる。このような場合、ベルト本体１のうちプーリーに接触する部分のみに帆布３が配設されていることが好ましい。このようにベルト本体１のうちプーリーに接触する部分のみに帆布３を配設することで、騒音を効果的に抑制することができる。特に歯付きベルトの停止状態からの発進時や、移動状態からの停止時に騒音が大きくなり易いので、ベルト本体１のうちベルトの停止状態からの発進時や、移動状態からの停止時にプーリーが接触する部分のみに帆布３が配設されていてもよい。
【００３９】
帆布３としては、大麻，亜麻，粗麻，黄麻などの繊維を用いた麻帆布、木綿を用いた綿帆布、ナイロンなどの合成繊維を用いた帆布等を挙げることができる。中でも、帆布３としては、ナイロン製が好ましい。
【００４０】
帆布３の側縁と、この帆布３の側縁と近接するベルト本体１の側縁との平均間隔の下限としては、０．５ｍｍが好ましく、０．７ｍｍがより好ましい。一方、上記帆布３の側縁と近接するベルト本体１の側縁との平均間隔の上限としては、１ｍｍが好ましく、０．９ｍｍがより好ましい。上記帆布３の側縁と近接するベルト本体１の側縁との平均間隔が上記下限未満であると、糸くず等の発塵の抑制効果が不十分となるおそれがある。逆に、上記帆布３の側縁と近接するベルト本体１の側縁との平均間隔が上記上限を超えると、相対的に帆布３の平均幅が狭くなるため、騒音の抑制効果が不十分となるおそれがある。
【００４１】
ベルト本体１の平均幅に対する帆布３の平均幅の比の下限としては、０．５が好ましく、０．６がより好ましく、０．８がさらに好ましい。一方、ベルト本体１の平均幅に対する帆布３の平均幅の比の上限としては、０．９５が好ましく、０．９がより好ましい。ベルト本体１の平均幅に対する帆布３の平均幅の比が上記下限未満であると、騒音の抑制効果が不十分となるおそれがある。逆に、ベルト本体１の平均幅に対する帆布３の平均幅の比が上記上限を超えると、最表面の両側縁部付近の帆布３が配設されていない領域の平均幅が狭くなるため、糸くず等の発塵の抑制効果が不十分となるおそれがある。
【００４２】
また、帆布３の平均幅としては、最も外側に配設される２本の芯体コード２の平均間隔よりも大きいことが好ましく、帆布３が平面視で複数の芯体コード２を覆うように配設されているとよい。歯付きベルトは、芯体コード２が埋設されている領域の表面がプーリーと接触し易いので、この領域を帆布３で覆うことで、騒音の低減効果を高められる。
【００４３】
帆布３の平均厚さの下限としては、０．３ｍｍが好ましく、０．４ｍｍがより好ましい。一方、帆布３の平均厚さの上限としては、１．０ｍｍが好ましく、０．８ｍｍがより好ましい。帆布３の平均厚さが上記下限未満であると、騒音の抑制効果が不十分となるおそれがある。逆に、帆布３の平均厚さが上記上限を超えると、帆布３が不必要に厚くなり、当該歯付きベルトの取扱い性が低下するおそれや、製造コストが上昇するおそれがある。
【００４４】
帆布３は、図２に示すようにその一部又は全部がベルト本体１に埋設されているとよい。帆布３をベルト本体１に埋設する場合、帆布３の平均厚さに対する埋設深さの比の下限としては、０．５が好ましく、０．８がより好ましい。一方、帆布３の平均厚さに対する埋設深さの比の上限としては、１が好ましく、０．９８がより好ましい。帆布３をベルト本体１に埋設する場合、帆布３の平均厚さに対する埋設深さが上記下限未満であると、帆布３がベルト本体１から突出する高さが相対的に高くなる。このため、当該歯付きベルトが帆布３のみでプーリーに当接し、当該歯付きベルトの駆動に寄与する有効幅が減少するおそれがある。逆に、帆布３の平均厚さに対する埋設深さの比が上記上限を超えると、帆布３がプーリーに当接し難くなるため、騒音の抑制効果が不十分となるおそれがある。
【００４５】
帆布３がベルト本体１の表面から突出する突出距離の下限としては、０ｍｍが好ましく、０．１ｍｍがより好ましい。一方、上記突出距離の上限としては、０．３ｍｍが好ましく、０．２ｍｍがより好ましい。上記突出距離の下限が上記下限未満であると、帆布３がプーリーに当接し難くなるため、騒音の抑制効果が不十分となるおそれがある。逆に、上記突出距離が上記上限を超えると、当該歯付きベルトが帆布３のみでプーリーに当接し、当該歯付きベルトの駆動に寄与する有効幅が減少するおそれがある。
【００４６】
特に、ベルト本体１の一方の面側が、幅方向に面一に形成されていることが好ましい。つまり、帆布３の平均厚さに対する埋設深さの比が１であり、帆布３がベルト本体１の表面から突出する突出距離が０ｍｍであることが特に好ましい。ベルト本体１の一方の面側を幅方向に面一に形成することで、騒音が抑制できると共に、ベルト本体１の全幅を当該歯付きベルトの有効面として用いることができる。
【００４７】
＜歯付きベルトの製造方法＞
当該歯付きベルトは、例えば押出成形工程と、歯部形成工程と、帆布積層工程とを備える製造方法により製造することができる。
【００４８】
（押出成形工程）
押出成形工程では、押出成形により芯体コード２が埋設されたゴム又は樹脂組成物を主成分とする押出成形体を形成する。
【００４９】
具体的には、複数の芯体コード２を押出機のシリンダ先端に取り付けたクロスヘッドに挿通しながら、その両側を溶融したゴム又は樹脂組成物で被覆するように押出成形する。
【００５０】
あるいは、溶融押出したゴム又は樹脂組成物と複数の芯体コード２とを一対のロールで挟み込み加圧することで、複数の芯体コード２をゴム又は樹脂組成物内に埋め込んでもよい。
【００５１】
押出成形においてゴム又は樹脂組成物を溶融させるための加熱温度は、ゴム又は樹脂の種類や硬化剤の利用の有無等に依存するが、上記加熱温度の下限としては、１５０℃が好ましい。一方、上記加熱温度の上限としては、２５０℃が好ましい。上記加熱温度が上記下限未満であると、ゴム又は樹脂組成物が十分に溶融せず、押出成形が困難となるおそれがある。逆に、上記加熱温度が上記上限を超えると、押出成形体が不要に熱くなるため、冷却時間が不要に長くなり、当該歯付きベルトの製造効率が低下するおそれがある。
【００５２】
（歯部形成工程）
歯部形成工程では、上記押出成形工程後の押出成形体に歯部１ｂを形成する。これによりベルト本体１を得ることができる。
【００５３】
具体的には、例えば歯部１ｂに対応した凹部を外周面に有する円筒状の金型ロールを準備し、上記押出成形体の一方の面を加熱しながら上記金型ロールに巻き付けることで、歯部１ｂを形成できる。
【００５４】
歯部形成工程での加熱温度としては、押出成形体が溶融して一方の面に歯部１ｂを形成できる温度に応じて適宜決定されるが、上記加熱温度の下限としては、１５０℃が好ましい。一方、上記加熱温度の上限としては、２５０℃が好ましい。上記加熱温度が上記下限未満であると、押出成形体の軟化が不足し、歯部１ｂの形成が困難となるおそれがある。逆に、上記加熱温度が上記上限を超えると、ベルト本体１全体が熱により変形し易くなるおそれがある。
【００５５】
（帆布積層工程）
帆布積層工程では、上記歯部形成工程で得られるベルト本体１に帆布３を積層する。
【００５６】
具体的には、例えば帆布３をベルト本体１と重ね合わせ、プレス加工を行うことにより帆布３をベルト本体１に積層できる。
【００５７】
上記プレス加工におけるベルト単位幅当たりの加圧の下限としては、５Ｎ／ｍｍが好ましい。一方、上記加圧の上限としては、５０Ｎ／ｍｍが好ましい。上記加圧が上記下限未満であると、帆布３がベルト本体１から剥離し易くなるおそれがある。逆に、上記加圧が上記上限を超えると、例えばベルト本体１の歯部１ｂが変形し易くなるおそれがある。
【００５８】
＜利点＞
当該歯付きベルトは、歯部１ｂの最表面に配設される帆布３の両端が平面視でベルト本体１の両端より内側に位置する。つまり、当該歯付きベルトは、帆布３が歯部１ｂの中央部分のみに配設され、歯部１ｂの両端や側面を被覆していない。このように構成することで、当該歯付きベルトは、歯部１ｂの中央部分の帆布３により騒音を抑制し、歯部１ｂの両端に帆布３がないことにより糸くず等の発塵を抑制できる。従って、当該歯付きベルトは、低塵環境で用いることができ、かつ騒音が抑制できる。
【００５９】
［その他の実施形態］
本発明は上記実施形態に限定されるものではなく、上記態様の他、種々の変更、改良を施した態様で実施することができる。
【００６０】
上記実施形態では、１枚の帆布がベルト本体の一方の面側に配設される場合を説明したが、配設する帆布の枚数は１枚に限定されるものではない。複数の短冊状の帆布を配設することも可能である。この場合、各帆布の両端が平面視で上記ベルト本体の両端より内側に位置するように各帆布は配設される。また、帆布間には空隙があってもよいが、複数の帆布は空隙を有さず連続して配設されてもよい。
【００６１】
上記実施形態では、ベルト本体が一方の面側のみに歯部を有する場合を説明したが、ベルト本体の両面に歯部が形成されていてもよい。ベルト本体の両面に歯部が形成されている場合、両端が平面視でベルト本体の両端より内側に位置する帆布は、両面に配設してもよいが、一方の面のみに配設されてもよい。両面に歯部を有する歯付きベルトであっても、例えば騒音が主に片面に起因しているような場合であれば、片面のみに上記帆布を配設しても騒音を低減する効果を得ることができる。
【００６２】
上記実施形態では、帆布積層工程を備える製造方法により当該歯付きベルトを製造する方法を説明したが、帆布を押出成形工程でベルト本体の表面に配設することもできる。この場合、当該歯付きベルトの製造方法は、押出成形により芯体コードが埋設され、表面に帆布が配設されたゴム又は樹脂組成物を主成分とする押出成形体を形成する押出成形工程と、上記押出成形工程後の押出成形体に歯部を形成する歯部形成工程とを備える。
【産業上の利用可能性】
【００６３】
本発明の歯付きベルトは、低塵環境で用いることができ、かつ騒音が抑制される。従って、本発明の歯付きベルトは、工場のクリーンルーム等で高速駆動を必要とする歯付きベルトとして好適に用いることができる。
【符号の説明】
【００６４】
１  ベルト本体
１ａ  基部
１ｂ  歯部
２  芯体コード
３  帆布
【図１】
2019119529.tif 000003
【図２】
2019119529.tif 000004